【手続補正書】
【提出日】平成16年9月14日(2004.9.14)
【手続補正１】
【補正対象書類名】明細書
【補正対象項目名】発明の名称
【補正方法】変更
【補正の内容】
【発明の名称】画像処理装置
【手続補正２】
【補正対象書類名】明細書
【補正対象項目名】特許請求の範囲
【補正方法】変更
【補正の内容】
【特許請求の範囲】
【請求項１】
多階調の画像データを当該多階調よりも低い階調の画像データとなるように、ディザ法を用いて複数画素を並行して処理する画像処理装置であって、
ディザデータを保持する第一の記憶手段と、
前記第一の記憶手段が出力するべきディザデータを指定するディザアドレス指定手段と、
前記第一の記憶手段が保持するディザデータのうち、並行処理が可能な数より１つ少ない数のディザデータを保持する第二の記憶手段と、
前記第一及び第二の記憶手段に保持されたディザデータのうち、一方のディザデータを選択する選択手段と、
前記選択手段によって選択された前記ディザデータをデータシフトするデータシフト手段と、
前記データシフト手段によってシフトされた前記ディザデータと前記多階調の画像データの画素値とを比較し、前記低階調の画像データを生成するデータ処理手段と
を有することを特徴とする画像処理装置。
【請求項２】
多階調の画像データを当該多階調よりも低い階調の画像データとなるように、ディザ法を用いて複数画素を並行して処理する画像処理装置であって、
ディザデータを保持する記憶手段と、
前記記憶手段が出力するべきディザデータを指定するディザアドレス指定手段と、
前記記憶手段から出力されたディザデータをデータシフトするデータシフト手段と、
前記データシフト手段によってシフトされたディザデータと、前記多階調の画像データの画素値とを比較し、前記低階調の画像データを生成するデータ処理手段と、を有し、
前記記憶手段は、ラスタ単位で保持するディザデータを、１ラスタ分のディザデータに続けてラスタの先頭から並行して処理可能な数よりも、１つ少ないディザデータを繰り返して記憶することを特徴とする画像処理装置。
【請求項３】
ディザ処理に用いる１スキャンライン分の各閾値データを順に振り分けて記憶するＮ個（Ｎ≧２）の記憶手段と、
前記Ｎ個の記憶手段にそれぞれ記憶された最初の閾値データを記憶するＮ−１個のラッチ手段と、
ディザ処理される画素のアドレスを指定するアドレス指定手段と、
前記アドレス指定手段のアドレス指定に応じて前記Ｎ個の記憶手段から出力される閾値データと、前記Ｎ−１個のラッチ手段から出力される閾値データとのいずれか一方を選択する選択手段と、
前記選択手段で選択された閾値データの出力位置をシフト量に応じてシフトさせるシフト手段と、
前記スキャンラインの最終画素を検出し、検出結果に応じて前記シフト量を設定する検出手段と、を有し、
前記選択手段は、前記閾値データの幅、前記検出手段の検出結果、前記シフト手段におけるシフト量とに基づいて、閾値データの出力を選択することを特徴とする画像処理装置。
【請求項４】
前記シフト手段によるシフト量に基づいて、前記アドレス指定手段の初期値を変更する設定手段を有することを特徴とする請求項３に記載の画像処理装置。
【請求項５】
ディザ処理に用いる１スキャンライン分の各閾値データ及び当該スキャンラインの最終画素に対応する閾値データの後に、スキャンラインの先頭からＮ−１（Ｎ≧２）個分の閾値データを順に振り分けて記憶するＮ個の記憶手段と、
ディザ処理される画素のアドレスを指定するアドレス指定手段と、
前記アドレス指定手段のアドレス指定に応じて、前記Ｎ個の記憶手段から閾値データを出力する出力手段と、
前記記憶手段から出力された閾値データの出力位置をシフト量に応じてシフトさせるシフト手段と、
前記スキャンラインの最終画素を検出し、検出結果に応じて前記シフト量を設定する検出手段と、を有し、
前記出力手段は、前記閾値データの幅、前記検出手段の検出結果、前記シフト手段におけるシフト量とに基づいて、前記閾値データの出力を選択することを特徴とする画像処理装置。
【請求項６】
前記シフト手段によるシフト量に基づいて、前記アドレス指定手段の初期値を変更する設定手段を有することを特徴とする請求項５に記載の画像処理装置。
【手続補正３】
【補正対象書類名】明細書
【補正対象項目名】０００１
【補正方法】変更
【補正の内容】
【０００１】
【発明の属する技術分野】
本発明は、１色以上の画像を形成する画像処理装置に関し、特に、レーザビームやＬＥＤ、またはインクジェットなどの手段を用いて印字媒体上に画像を形成するプリンタなどの画像処理装置に関するものである。
【手続補正４】
【補正対象書類名】明細書
【補正対象項目名】００４５
【補正方法】変更
【補正の内容】
【００４５】
本発明は、以上のような問題点に鑑みてなされたもので、その目的とする処は、メモリ容量を増やさずにディザデータの大きさを自由に設定できる上に、高速にディザ変換を行うことができる画像処理装置を提供することにある。
【手続補正５】
【補正対象書類名】明細書
【補正対象項目名】００４６
【補正方法】変更
【補正の内容】
【００４６】
【課題を解決するための手段】
このため、本発明においては、下記の各項（１）〜（６）のいずれかに示す画像処理装置を提供することにより、前記目的を達成しようとするものである。
【手続補正６】
【補正対象書類名】明細書
【補正対象項目名】００４７
【補正方法】変更
【補正の内容】
【００４７】
（１）多階調の画像データを当該多階調よりも低い階調の画像データとなるように、ディザ法を用いて複数画素を並行して処理する画像処理装置であって、ディザデータを保持する第一の記憶手段と、前記第一の記憶手段が出力するべきディザデータを指定するディザアドレス指定手段と、前記第一の記憶手段が保持するディザデータのうち、並行処理が可能な数より１つ少ない数のディザデータを保持する第二の記憶手段と、前記第一及び第二の記憶手段に保持されたディザデータのうち、一方のディザデータを選択する選択手段と、前記選択手段によって選択された前記ディザデータをデータシフトするデータシフト手段と、前記データシフト手段によってシフトされた前記ディザデータと前記多階調の画像データの画素値とを比較し、前記低階調の画像データを生成するデータ処理手段とを有することを特徴とする画像処理装置。
【手続補正７】
【補正対象書類名】明細書
【補正対象項目名】００４８
【補正方法】変更
【補正の内容】
【００４８】
（２）多階調の画像データを当該多階調よりも低い階調の画像データとなるように、ディザ法を用いて複数画素を並行して処理する画像処理装置であって、ディザデータを保持する記憶手段と、前記記憶手段が出力するべきディザデータを指定するディザアドレス指定手段と、前記記憶手段から出力されたディザデータをデータシフトするデータシフト手段と、前記データシフト手段によってシフトされたディザデータと、前記多階調の画像データの画素値とを比較し、前記低階調の画像データを生成するデータ処理手段と、を有し、前記記憶手段は、ラスタ単位で保持するディザデータを、１ラスタ分のディザデータに続けてラスタの先頭から並行して処理可能な数よりも、１つ少ないディザデータを繰り返して記憶することを特徴とする画像処理装置。
（３）ディザ処理に用いる１スキャンライン分の各閾値データを順に振り分けて記憶するＮ個（Ｎ≧２）の記憶手段と、前記Ｎ個の記憶手段にそれぞれ記憶された最初の閾値データを記憶するＮ−１個のラッチ手段と、ディザ処理される画素のアドレスを指定するアドレス指定手段と、前記アドレス指定手段のアドレス指定に応じて前記Ｎ個の記憶手段から出力される閾値データと、前記Ｎ−１個のラッチ手段から出力される閾値データとのいずれか一方を選択する選択手段と、記選択手段で選択された閾値データの出力位置をシフト量に応じてシフトさせるシフト手段と、前記スキャンラインの最終画素を検出し、検出結果に応じて前記シフト量を設定する検出手段と、を有し、前記選択手段は、前記閾値データの幅、前記検出手段の検出結果、前記シフト手段におけるシフト量とに基づいて、閾値データの出力を選択することを特徴とする画像処理装置。
（４）前記シフト手段によるシフト量に基づいて、前記アドレス指定手段の初期値を変更する設定手段を有することを特徴とする前記（３）に記載の画像処理装置。
（５）ディザ処理に用いる１スキャンライン分の各閾値データ及び当該スキャンラインの最終画素に対応する閾値データの後に、スキャンラインの先頭からＮ−１（Ｎ≧２）個分の閾値データを順に振り分けて記憶するＮ個の記憶手段と、ディザ処理される画素のアドレスを指定するアドレス指定手段と、前記アドレス指定手段のアドレス指定に応じて、前記Ｎ個の記憶手段から閾値データを出力する出力手段と、前記記憶手段から出力された閾値データの出力位置をシフト量に応じてシフトさせるシフト手段と、前記スキャンラインの最終画素を検出し、検出結果に応じて前記シフト量を設定する検出手段と、を有し、前記出力手段は、前記閾値データの幅、前記検出手段の検出結果、前記シフト手段におけるシフト量とに基づいて、前記閾値データの出力を選択することを特徴とする画像処理装置。
（６）前記シフト手段によるシフト量に基づいて、前記アドレス指定手段の初期値を変更する設定手段を有することを特徴とする前記（５）に記載の画像処理装置。
【手続補正８】
【補正対象書類名】明細書
【補正対象項目名】０１０８
【補正方法】変更
【補正の内容】
【０１０８】
【発明の効果】
以上説明したとおり、本発明によれば、メモリ容量を増やさずにディザの大きさを自由に設定できる上に、高速にディザ変換を行うことが可能な画像処理装置を提供することができる。